(57)【特許請求の範囲】
【請求項１】
複数枚のパネル体と、横桟とを備え、各パネル体が、横桟を挟んで上下に連設してあり、横桟が、パネル体の外側面より外側に突出していて突出部分の上側面が外側下方に向けて傾斜しており、かつパネル体の内側面より内側に突出する載置部を有していて載置部の上面が水平面となっていることを特徴とする壁面体。
【請求項２】
複数の格子体と、横桟とを備え、各格子体が、複数本の格子材からなるものであって、横桟を挟んで上下に連設してあり、横桟が、格子体の外側面より外側に突出していて突出部分の上側面が外側下方に向けて傾斜しており、かつ格子体の内側面より内側に突出する載置部を有していて載置部の上面が水平面となっていることを特徴とする壁面体。
【請求項３】
パネル体と、格子体と、横桟とを備え、格子体が、複数本の格子材からなるものであって、パネル体と格子体が、横桟を挟んで上下に連設してあり、横桟が、パネル体の外側面及び格子体の外側面より外側に突出していて突出部分の上側面が外側下方に向けて傾斜しており、かつパネル体の内側面及び格子体の内側面より内側に突出する載置部を有していて載置部の上面が水平面となっていることを特徴とする壁面体。
【発明の詳細な説明】
【技術分野】
【０００１】
本発明は、住宅の敷地境界などに設置されるフェンスなどの壁面体に関する。
【背景技術】
【０００２】
住宅の敷地境界などに設置される壁面体として、複数枚のパネルを、枠材を介して上下に連設したものがある。このような壁面体は、外部からの視線を遮断し、かつ外部からの侵入者を防ぐためのものであり、特に侵入者防止の観点からは、よじ上ることができないように、壁面体の外側面に手足を掛けることができるような構造を設けないことが重要である。たとえば、特許文献１の発明においては、パネルの外側面と枠材の外側面とが略面一になっており、枠材に手足を掛けることは難しい。
【先行技術文献】
【特許文献】
【０００３】
【特許文献１】特開２００９−２７０２８３号公報
【発明の概要】
【発明が解決しようとする課題】
【０００４】
ところで、上記のような壁面体は、道路沿いなど人目に付きやすい場所に設置されることが多く、視線遮断、侵入者防止の機能と併せて意匠性に優れていることも求められる。その点、特許文献１の発明は、外側面に凹凸がなく、平面的で物足りない印象を与えるおそれがある。
【０００５】
本発明は、上記事情を鑑みたものであり、意匠性に優れ、かつ侵入者防止機能にも優れる壁面体を提供することを目的とする。
【課題を解決するための手段】
【０００６】
本発明のうち請求項１の発明は、複数枚のパネル体と、横桟とを備え、各パネル体が、横桟を挟んで上下に連設してあり、横桟が、パネル体の外側面より外側に突出していて突出部分の上側面が外側下方に向けて傾斜しており、かつパネル体の内側面より内側に突出する載置部を有していて載置部の上面が水平面となっていることを特徴とする。
【０００８】
本発明のうち請求項２の発明は、複数の格子体と、横桟とを備え、各格子体が、複数本の格子材からなるものであって、横桟を挟んで上下に連設してあり、横桟が、格子体の外側面より外側に突出していて突出部分の上側面が外側下方に向けて傾斜しており、かつ格子体の内側面より内側に突出する載置部を有していて載置部の上面が水平面となっていることを特徴とする。
【００１０】
本発明のうち請求項３の発明は、パネル体と、格子体と、横桟とを備え、格子体が、複数本の格子材からなるものであって、パネル体と格子体が、横桟を挟んで上下に連設してあり、横桟が、パネル体の外側面及び格子体の外側面より外側に突出していて突出部分の上側面が外側下方に向けて傾斜しており、かつパネル体の内側面及び格子体の内側面より内側に突出する載置部を有していて載置部の上面が水平面となっていることを特徴とする。
【発明の効果】
【００１４】
本発明のうち請求項１の発明によれば、横桟がパネル体の外側面より外側に突出しているので、横桟がアクセントになって優れた意匠となる。そして、突出部分の上側面が外側下方に向けて傾斜しているので、横桟に手足を掛けることは困難であり、侵入者を防止する機能にも優れている。また、載置部を設けることにより、従来視線遮断及び侵入者防止の機能しかなかった壁面体を、棚として使用することができる。載置部は、壁面体の横幅長さ分だけ利用することができ、何を置いてもよく、たとえば植木鉢やプランターを置いたり、ガーデニングの道具を置いたり、その他の装飾品を置いたりするなど、自由に使用できる。
【００１６】
本発明のうち請求項２の発明によれば、横桟が格子体の外側面より外側に突出しているので、横桟がアクセントになって優れた意匠となる。そして、突出部分の上側面が外側下方に向けて傾斜しているので、横桟に手足を掛けることは困難であり、侵入者を防止する機能にも優れている。また、格子体を用いているので、外部からの視線をある程度遮断しつつ、適度に採風することができる。さらに、載置部を設けることにより、従来視線遮断及び侵入者防止の機能しかなかった壁面体を、棚として使用することができる。載置部は、壁面体の横幅長さ分だけ利用することができ、何を置いてもよく、たとえば植木鉢やプランターを置いたり、ガーデニングの道具を置いたり、その他の装飾品を置いたりするなど、自由に使用できる。また、格子体を用いているので、載置部上は良好な通風性が確保され、植木鉢などを載せた場合に、植物を十分に育成させることができる。
【００１８】
本発明のうち請求項３の発明によれば、横桟がパネル体及び格子体の外側面より外側に突出しているので、横桟がアクセントになって優れた意匠となる。そして、突出部分の上側面が外側下方に向けて傾斜しているので、横桟に手足を掛けることは困難であり、侵入者を防止する機能にも優れている。また、格子体を用いているので、外部からの視線をある程度遮断しつつ、適度に採風することができる。さらに、載置部を設けることにより、従来視線遮断及び侵入者防止の機能しかなかった壁面体を、棚として使用することができる。載置部は、壁面体の横幅長さ分だけ利用することができ、何を置いてもよく、たとえば植木鉢やプランターを置いたり、ガーデニングの道具を置いたり、その他の装飾品を置いたりするなど、自由に使用できる。また、格子体の下側の横桟の載置部上は良好な通風性が確保され、植木鉢などを載せた場合に、植物を十分に育成させることができる。
【図面の簡単な説明】
【００２２】
【図１】壁面体の第一実施形態を示し、（ａ）は正面図、（ｂ）はＡ１−Ａ１線断面図、（ｃ）はＢ１−Ｂ１線断面図、（ｄ）は横桟部分の拡大断面図である。
【図２】第二実施形態の横桟部分の拡大断面図である。
【図３】第三実施形態の横桟部分の拡大断面図である。
【図４】第四実施形態を示し、（ａ）は正面図、（ｂ）はＡ２−Ａ２線断面図、（ｃ）はＢ２−Ｂ２線断面図、（ｄ）は横桟部分の拡大断面図である。
【図５】第五実施形態を示し、（ａ）は正面図、（ｂ）はＡ３−Ａ３線断面図、（ｃ）はＢ３−Ｂ３線断面図である。
【図６】第六実施形態を示し、（ａ）は正面図、（ｂ）はＡ４−Ａ４線断面図、（ｃ）はＢ４−Ｂ４線断面図である。
【図７】第七実施形態を示し、（ａ）は正面図、（ｂ）はＡ５−Ａ５線断面図、（ｃ）はＢ５−Ｂ５線断面図である。
【図８】第八実施形態を示し、（ａ）は正面図、（ｂ）はＡ６−Ａ６線断面図、（ｃ）はＢ６−Ｂ６線断面図である。
【図９】第九実施形態を示し、（ａ）は正面図、（ｂ）はＡ７−Ａ７線断面図、（ｃ）はＢ７−Ｂ７線断面図である。
【図１０】第十実施形態を示し、（ａ）は正面図、（ｂ）はＡ８−Ａ８線断面図、（ｃ）はＢ８−Ｂ８線断面図である。
【発明を実施するための形態】
【００２３】
以下、本発明の実施の形態を図面に基づいて説明する。この壁面体の第一実施形態は、図１に示すように、横長矩形平板形状の五枚のパネル体１を上下に連設したものであり、各パネル体１同士の間には横桟２が挟んである。そして、連設したパネル体１を、上枠８、下枠９及び左右の縦枠１０が囲んでおり、縦枠１０は設置面に立設してある。
【００２４】
横桟２は、中空型材からなり、上面及び下面の外側寄りの位置に、断面略コ字形の凹溝２１を形成してある。凹溝２１には断面略Ｕ字形のグレージングチャンネル２２が嵌め込んであり、グレージングチャンネル２２がパネル体１を挟み込んで保持している。そして、凹溝２１より外側、すなわちパネル体１の外側面より外側の部分が、外側方向に突出している。この突出部分３は、上側面４が外側下方に約４５度傾斜しており、下側面５が外側上方に約４５度傾斜している。さらに、凹溝２１より内側の部分が、内側方向に大きく突出して載置部６を構成しており、その上面が水平面６１となっていて、植木鉢などを置くための棚として使用できるようになっている。なお、図１において上から三本目の横桟２が太くなっているが、突出部分３及び凹溝２１部分が高さ方向に厚くなっているだけで、基本構造は他の横桟２と同様である。
【００２５】
このように構成した壁面体の第一実施形態は、横桟がパネル体の外側面より外側に突出しているので、横桟がアクセントになっており、さらに横桟の突出部分の上側面と下側面が共に傾斜していることにより、各パネル体について、上下の横桟がパネル体を縁取る額をイメージさせ、高級感のある優れた意匠となっている。なお、上枠、下枠及び縦枠におけるパネル体との境界部分についても、横桟の突出部分と同様に傾斜させてあり、全体としてより統一感のある意匠となっている。そして、突出部分の上側面が外側下方に向けて傾斜しているので、横桟に手足を掛けることは困難であり、侵入者を防止する機能にも優れている。また、載置部を設けることにより、従来視線遮断及び侵入者防止の機能しかなかった壁面体を、棚として使用することができる。
【００２６】
図２に示すのは、壁面体の第二実施形態であり、第一実施形態とは、横桟２の突出部分３の形状が異なる。すなわち、本実施形態においては突出部分３の上側面４が外側下方に約６０度傾斜しており、下側面５は水平である。このように、突出部分３は少なくとも上側面４が下方に傾斜していれば、手足を掛けることは困難になり侵入者防止機能に優れるものであり、下側面５は、意匠面からの要請に基づき自由に設定できる。
【００２７】
図３に示すのは、壁面体の第三実施形態であり、第一実施形態とは、横桟２の突出部分３の形状が異なる。すなわち、本実施形態においては突出部分３が断面半円形状であり、半円の上側半分が上側面４に、下側半分が下側面５に相当する。このように、突出部分３の上側面４及び下側面５は曲面でもよく、この場合、上枠、下枠及び縦枠におけるパネル体との境界部分についても同様な曲面形状にすることで、全体としてより統一感のある意匠となる。
【００２８】
続いて図４に示すのは、壁面体の第四実施形態である。第四実施形態は、第一〜第三実施形態とは異なり、パネル体の替わりに格子体７を用いている。格子体７は、水平方向に延びる複数本の格子材７１からなり、格子材７１は、断面略正方形で、見込方向に離間させて互い違いに配置してある。すなわち、本実施形態においては上下に並ぶ格子材７１が内外二列配置してあり、内側列の格子材７１ａと外側列の格子材７１ｂとで高さ位置が異なっている。ここで、上下に並ぶ格子材７１同士の間隔は、格子材７１の断面の一辺の長さよりも短く、手足を掛けることができない程度の隙間となっており、また内側列の格子材７１ａと外側列の格子材７１ｂとの間隔も、格子材７１の断面の一辺の長さよりも短い。そして、外側列の格子材７１ｂは、横桟２の外側端部に位置している。また、横桟２は、中空型材からなり、上面及び下面の外側端部には断面略コ字形の凹溝２１を形成してあるが、これはパネル体を用いる壁面体と部材を共用できるようにしたものであり、本実施形態では使用しない。そして、凹溝２１より外側、すなわち格子体７の外側列の格子材７１ｂより外側の部分が、外側方向に突出している。この突出部分３は、上側面４が外側下方に約４５度傾斜しており、下側面５が外側上方に約４５度傾斜している。さらに、格子体７の内側列の格子材７１ａより内側の部分が内側方向に突出して載置部６を構成している。載置部６の上面は水平面６１となっており、植木鉢などを置くための棚として使用できる。
【００２９】
このように構成した壁面体の第四実施形態は、第一実施形態と同様に、外側に突出した横桟がアクセントとなって優れた意匠となっており、また突出部分の上側面が外側下方に向けて傾斜しているので横桟に手足を掛けることは困難であって、侵入者を防止する機能にも優れている。そして、互い違いに配置した格子材によって、外部からの視線を遮断しつつ、適度に採風することができる。さらに、載置部を設けることにより、従来視線遮断及び侵入者防止の機能しかなかった壁面体を、棚として使用することができる。なお、載置部上は良好な通風性が確保されており、植木鉢などを載せた場合に、植物を十分に育成させることができる。
【００３０】
さらに、格子体の構成については、種々のものが考えられる。以下に示す第五実施形態〜第十実施形態は、何れも二つの格子体を上下に連設してあって、格子体同士の間には横桟が挟んであり、横桟は格子体の内側面より内側の部分が内側方向に突出して載置部を構成しており、横桟の見込方向長さは格子体の厚さによって異なる。そして、連設した格子体の上下にはそれぞれ上枠及び下枠が、幅方向両端には縦枠が取り付けてあり、縦枠は設置面に立設してある。
【００３１】
図５に示す第五実施形態及び図６に示す第六実施形態は、何れも格子体７が平板形状の格子材７１からなるものであり、第五実施形態では格子材７１が垂直方向に延び、第六実施形態では格子材７１が水平方向に延びている。そして、何れにおいても格子材７１は見込方向に離間させて互い違いに配置してある。このように構成した場合でも、外部からの視線を確実に遮断しつつ、適度に採風することができる。
【００３２】
図７に示す第七実施形態及び図８に示す第八実施形態は、何れも格子体７が断面略正方形の格子材７１からなるものであり、第七実施形態では格子材７１が垂直方向に延び、第八実施形態では格子材７１が水平方向に延びている。そして、何れにおいても格子材７１は横桟２の外側端部に一列に並んでいる。このように構成した場合でも、外部からの視線をある程度遮断しつつ、適度に採風することができる。
【００３３】
図９に示す第九実施形態及び図１０に示す第十実施形態は、何れも格子体７が平板形状の格子材７１からなるものであり、第九実施形態では格子材７１が垂直方向に延び、第十実施形態では格子材７１が水平方向に延びている。そして、何れにおいても格子材７１は横桟２の外側端部に一列に並んでいる。このように構成した場合でも、外部からの視線をある程度遮断しつつ、適度に採風することができる。
【００３４】
本発明は、上記の実施形態に限定されない。たとえば、一つの壁面体がパネル体と格子体の両方を備え、それらが横桟を挟んで上下に連設してあってもよい。この際、パネル体と格子体のどちらが上であってもよい。また、横桟は、中空型材ではなく中実部材からなるものであってもよい。さらに、格子体にはルーバー形状のものも含み、さらにこれが可動式で開閉自在のものであってもよい。
【符号の説明】
【００３５】
１  パネル体
２  横桟
３  突出部分
４  上側面
５  下側面
６  載置部
７  格子体
６１  水平面
７１  格子材
【図１】
0005667429.tif 000002
【図２】
0005667429.tif 000003
【図３】
0005667429.tif 000004
【図４】
0005667429.tif 000005
【図５】
0005667429.tif 000006
【図６】
0005667429.tif 000007
【図７】
0005667429.tif 000008
【図８】
0005667429.tif 000009
【図９】
0005667429.tif 000010
【図１０】
0005667429.tif 000011